(57)【特許請求の範囲】
【請求項１】
外部から供給されるテレビジョン信号を受信する受信部と、
前記受信部により受信されたテレビジョン信号の映像を再生するビデオ部と、
前記ビデオ部を制御して表示画面を操作するディスプレイプロセッサと、
チャンネル選択のための指定信号や前記表示画面の操作信号を入力するための操作部と、  前記受信部に供給される見出し語情報を前記ディスプレイプロセッサに供給して前記表示画面に表示させる見出し語情報設定部と、前記操作部から音声又はキー入力によって指定される見出し語情報を認識し、当該見出し語情報に対応するチャンネルを前記見出し語情報設定部の見出し語情報と照合して検出するチャンネル検出手段と、前記チャンネル検出手段によって検出されたチャンネルを一覧表示又は一画面に順次表示させ、前記操作部からのチャンネル選択を確定する指定信号を前記チャンネル検出手段を介して入力し、対応するチャンネルを選択表示させるチャンネル選択手段と、前記見出し語情報設定部の見出し語情報から当該見出し語に対応するチャンネルを検索するためのデータを記憶する見出し語用データベースとからなる制御手段とを備えたことを特徴とするマン−マシンインターフェースシステムであって、
前記見出し語情報が入力されてから所定時間以内に新しい見出し語情報が入力されたときに、前記見出し語情報と前記新しい見出し語情報との論理積をとって前記チャンネル検出手段によってチャンネルを検出することを特徴とするマン−マシンインターフェースシステム。
【発明の詳細な説明】
【０００１】
【発明の属する技術分野】
本発明は、オーディオビジュアル（ＡＶ）機器の制御に使用するマン−マシンインターフェースシステムに関し、特にテレビ受像機の番組選択に関するものである。
【０００２】
【従来の技術】
従来からＡＶ機器の制御は様々な方法によって行われているが、例えばテレビ受像機などのチューナーを有するＡＶ機器のチャンネルを選択するためのリモートコントロール装置において、ユーザーが所望のチャンネルを選択するためにはチャンネル選択キーをリモートコントロール装置に設け、ユーザーがこのチャンネル選択キーを操作することにより所望のチャンネルを選択していた。
【０００３】
ところで、現在のテレビ放送は通常の地上波の放送に加え、衛星放送やケーブルＴＶなどがあり、そのチャンネル数も増加の一途を辿っている。
【０００４】
このように、ユーザーが視聴可能なチャンネル数が増加することは、番組の選択の幅が広がるという意味においては好ましいが、チャンネルが増加することにより、どのチャンネルが所望の番組を放送しているチャンネルであるかを覚えることが困難となり、より快適なチャンネル選択のための制御システムが期待されている。
【０００５】
そこで、プログラムガイドと呼ばれる番組の一覧表をテレビジョン受像機に表示し、番組のカテゴリーなどを示すキーワード（見出し語）によって条件検索してチャンネルを選択することが提案されている。
【０００６】
【発明が解決しようとする課題】
しかしながら、上述したチャンネル選択システムでは、テレビジョン受像機に予めプログラムガイドを表示し、見出し語を入力して条件検索し、該当するチャンネルが更に表示される。この段階で、ユーザーが望むチャンネルが選択できれば良いが、入力した見出し語で所望のチャンネルが得られなかった場合、見出し語を見直して、また始めから条件検索をやり直す必要が生じるため、操作が煩わしくなるという問題があった。
【０００７】
【課題を解決するための手段】
上述した課題を解決するために、本発明に係るマン−マシンインターフェースシステムは、外部から供給されるテレビジョン信号を受信する受信部５と、前記受信部５により受信されたテレビジョン信号の映像を再生するビデオ部６と、前記ビデオ部６を制御して表示画面を操作するディスプレイプロセッサ８と、チャンネル選択のための指定信号や前記表示画面の操作信号を入力するための操作部１０と、前記受信部５に供給される見出し語情報を前記ディスプレイプロセッサ８に供給して前記表示画面に表示させる見出し語情報設定部９Ａと、前記操作部１０から音声又はキー入力によって指定される見出し語情報を認識し、当該見出し語情報に対応するチャンネルを前記見出し語情報設定部９Ａの見出し語情報と照合して検出するチャンネル検出手段９Ｂと、前記チャンネル検出手段９Ｂによって検出されたチャンネルを一覧表示又は一画面に順次表示させ、前記操作部１０からのチャンネル選択を確定する指定信号を前記チャンネル検出手段９Ｂを介して入力し、対応するチャンネルを選択表示させるチャンネル選択手段９Ｃと、前記見出し語情報設定部９Ａの見出し語情報から当該見出し語に対応するチャンネルを検索するためのデータを記憶する見出し語用データベース９Ｄとからなる制御手段９とを備えたことを特徴とするマン−マシンインターフェースシステムであって、前記見出し語情報が入力されてから所定時間以内に新しい見出し語情報が入力されたときに、前記見出し語情報と前記新しい見出し語情報との論理積をとって前記チャンネル検出手段９Ｃによってチャンネルを検出することを特徴とするマン−マシンインターフェースシステムを提供するものである。
【０００８】
【発明の実施の形態】
以下、本発明に係るマン−マシンインターフェースシステムについて図面を参照して説明する。図１は本発明に係るマン−マシンインターフェースシステムをを示すブロック図である。同図において、室内に設置されたケーブルＴＶのターミナル１からケーブル２を介して分岐部３にテレビジョン信号が供給される。そして、このテレビジョン信号は受信部５に入力し、ビデオ部６によって映像を再生し、オーディオ部７で音声を再生する。また、制御手段９では受信部５のチャンネル・音声レベル・サラウンドモードなどを制御している。操作部１０は例えばリモートコントロール装置であり、受信部５のチャンネル・音声レベル・サラウンドモードなどを制御するための操作ボタンが配置されており、ユーザーはこの操作ボタンにより所望のチャンネル・音声レベル・サラウンドモードを設定可能である。また、操作部１０には音声入力用のマイクと音声出力用のスピーカーが設けられており、更に、入力した音声を認識するための音声認識部、音声入力を使用しない場合や音声入力と併用して使用するキー入力部が設けられている。
【０００９】
また、ディスプレイプロセッサ８では、ビデオ部６からの映像信号及び制御手段９による文字情報の表示が行われる。
【００１０】
このように構成されたシステムの制御手段９は見出し語情報設定部９Ａ、チャンネル検出手段９Ｂ、チャンネル選択手段９Ｃ、見出し語用データベース９Ｄから成っており、見出し語情報設定部９Ａには、受信部５からのチャンネル情報などの固定見出し語と、放送信号から得られる流動見出し語が供給される。流動見出し語は、番組に付随するジャンル、題名、キーワードなどであり、例えばＥＩＡ（Electronic Industries Association）-608-A規格により番組のサブヘッダに記録されたものを用いる。これらは、番組の内容に応じて時々刻々変動するので流動と称する。そして、これらの見出し語を用いて画像（メニュー）を設定し表示させる（番組ガイド）。これらの見出し語情報は見出し語用データベース９Ｄに供給される。
【００１１】
ここで、ユーザーが見出し語情報設定部９Ａの設定した画像を見ながら、例えば操作部１０に設けたマイクに向かって「リラックス」と叫ぶと、操作部１０ではこれを音声認識し、チャンネル検出手段９Ｂは、「リラックス」の認識音声を入力して、この「リラックス」に対応するチャンネルを見出し語用データベース９Ｄから検索して、その中の該当するチャンネルをディスプレイプロセッサ８によって分割画面に表示する。ここでユーザーは操作部１０に設けられたサーチボタンによって画面をサーチし、所望のチャンネルを選択し、操作部１０に設けられたＯＫボタンを押す。すると、制御部９では該当するチャンネルが選択される。
【００１２】
またこのとき、分割画面に一覧表示せずに最も見出し語に適合するチャンネルを表示し、ユーザーによる確認を待つようにしても良い。この確認待機状態で所定の時間内に操作部１０に設けた取り消しボタンが押下されるか、ユーザーが否定を示す言葉を発声することにより見出し語に適合する次のチャンネルを表示する。一方、確認待機状態で所定時間内に何の入力もない場合には、現在表示されているチャンネルがユーザーの所望するチャンネルであるとして処理を引き続き表示を行うとともに処理を終了する。
【００１３】
また、見出し語に適合するチャンネルが一覧表示又は一画面表示されている状態で、所定時間内にユーザーから「音楽」というように次の見出し語が発声された場合には見出し語が、上記「リラックス」に適合し、かつ、「音楽」にも適合するものを見出し語用データベース９Ｄから検索する。すると、リラックスできる音楽番組が一覧表示又は一画面表示される。
【００１４】
図２は制御手段９の動作を説明するフローチャートである。以下、同図に示すフローチャートを参照して制御手段９の動作を説明する。まず、操作部１０より音声入力及び／又はキー入力によって見出し語情報を入力するか、キー入力によって直接チャンネルを選択する（ステップＳ１）。次にチャンネルの選択がキー入力によって直接行われたかを判別する（ステップＳ２）。キー入力によってチャンネルが選択された場合にはキー入力に対応したチャンネルが決定され、決定したチャンネルの表示が行われる（ステップＳ３）。一方，見出し語が入力されたと判別されたときには、入力された見出し語情報に応じたチャンネルを見出し語情報設定部９Ａにおいてデータベース９Ｄから検索し、該当するチャンネル候補を決定してチャンネル検出手段に送る（ステップＳ４）。
【００１５】
この状態で所定の時間内に次の入力があるまで待機し、次の入力が無ければ（ステップＳ５）該当する複数のチャンネル候補をテレビジョン受像機などに一覧表示するか、該当するチャンネル候補の中から優先順位の高いものを一画面に表示する（ステップＳ６）。該当するチャンネル候補の中から優先順位の高いものを選択する手法としては、チャンネル検出手段９Ｂが見出し語用データベース９Ｄに記憶されている過去の選択結果を参照することなどが考えられる。
【００１６】
そして、この表示中に次の入力がなければ（ステップＳ７）、チャンネル選択手段を駆動し、チャンネル候補を一覧表示したもの、又は一画面表示されたものを優先順位に応じて切り換えて表示したものの中からユーザーが任意に選択する（ステップＳ８）。そして、選択されたチャンネルは選択結果として見出し語用データベース９Ｄに保存される。
【００１７】
この状態で次の入力が無ければ（ステップＳ９）、処理を終了し、入力があればステップＳ２に戻る。
【００１８】
ステップＳ５及びステップＳ７のように次の入力を待機している状態で次の入力があったときには、その入力が直接チャンネルを選択するキー入力であるかを判別し（ステップＳ２に戻る）、キー入力であれば、キーに対応したチャンネルを画面上に表示する（ステップＳ３）。キー入力ではなく、見出し語の入力であると判別されたときには、入力された見出し語情報に応じたチャンネルを見出し語用データベース９Ｄから検索し、該当するチャンネルを決定する（ステップＳ４）。
【００１９】
このように見出し語情報に対応するチャンネルの表示が繰り返されるが、操作部１０によって途中でリセットをかけない限り入力した全ての見出し語の条件を満たすチャンネルを選択するために選択されるチャンネルは徐々に数が減ることとなる。
【００２０】
上述した実施例において、候補のチャンネルが表示されている状態で（ステップＳ６）の次の動作は図３に示すような処理を施すことが考えられる。
【００２１】
同図において、例えば、チャンネル候補の表示が優先順位による連続した一画面表示による場合には、候補のチャンネルが表示されているときに「そうです」「ＯＫ」「はい」などの肯定を示す言葉が操作部１０から入力されるか、操作部１０に設けたＯＫボタンが押下されるかすると（ステップＳ４１）、すぐに表示されているチャンネルがユーザーの所望するチャンネルであるとしてチャンネルが決定し（ステップＳ４２）、「違います」「ＮＯ」「いいえ」などの否定を示す言葉が操作部１０から入力されるか、操作部１０に設けたＮＯボタンが押下されるかすると（ステップＳ４３）、次の優先順位の候補チャンネルが表示される（ステップＳ４４）。また、候補のチャンネルが分割画面に一覧表示されている場合には、チャンネル番号又はチャンネル名を直接入力することで（ステップＳ４５）これをユーザーが所望するチャンネルとして決定する（ステップＳ４６）。更に、新しい見出し語が入力されたときには（ステップＳ４７）、前回入力された見出し語との論理積から候補のチャンネルが絞り込まれる決定される（ステップＳ４８）。
【００２２】
以上説明したように、本発明に係るマン−マシンインターフェースシステムによれば、ユーザーが所望のチャンネルを選択する際に、音声又はキーによる見出し語情報の入力を繰り返すことによって選択されるチャンネル候補を絞り込むことが可能となりユーザーが所望のチャンネルを容易に選択することが可能となる。
【００２３】
【発明の効果】
本発明に係るマン−マシンインターフェースシステムによれば、見出し語を用いることにより、膨大なチャンネルの中から所望の番組を選択することが可能となり、快適な選択操作が可能となる。また、見出し語の入力を繰り返すことでチャンネル検索の条件を絞り込むことができる。また、処理中にユーザーが所定の発声をするか所定のキーを押下することで候補のチャンネルから所望の一つのチャンネルを容易に選択することが可能となる。更に、検索した結果をデータベースに保存することでユーザーの選択傾向を網羅し、次回以降の検索をよりユーザーの望む結果に近づけることが可能となる。
【図面の簡単な説明】
【図１】本発明に係るマン−マシンインターフェースシステムの一実施例を示すブロック図である。
【図２】本発明に係るマン−マシンインターフェースシステムの動作を示すフローチャートである。
【図３】本発明に係るマン−マシンインターフェースシステムにおいて候補のチャンネルが表示されている状態での操作を示すフローチャートである。
【符号の説明】
１    ターミナル
２，４    ケーブル
３    分岐部
５    受信部
６    ビデオ部
７    オーディオ部
８    ディスプレイプロセッサ
９    制御手段
９Ａ    見出し語情報設定部
９Ｂ    チャンネル検出手段
９Ｃ    チャンネル選択手段
９Ｄ    見出し語用データベース
１０    操作部
【図１】
0003807577.tif 000002
【図２】
0003807577.tif 000003
【図３】
0003807577.tif 000004